(57)【要約】【課題】スマホやパソコンの周辺機器として用いることができる団扇を提供する。【解決手段】団扇の扇部に設けた電子ペーパーと、電子ペーパーに密着する圧電素子とを有し、圧電素子に加える音源信号によって、電子ペーパーが振動して音響機器として機能する。電子部品を収容する持ち手と、持ち手につながる扇部骨枠と、扇部骨枠を覆う電子ペーパーと、電子ペーパーに密着する圧電素子とを有し、持ち手に収容された電子部品から圧電素子に加える音源信号によって、電子ペーパーが振動して音響機器として機能する。近距離無線通信装置をさらに備え、圧電素子に加える音源信号のデータを近距離無線通信装置を用いて、外部機器から受け取る。電子ペーパーの表示内容のデータを近距離無線通信装置を用いて、外部機器から受け取る。電子ペーパー及び圧電素子を含む電子部品に必要な電源を発電するための発電用圧電素子を備え、団扇を扇ぐ力を用いて発電する。【選択図】図１
2019025043.tif 000002
【特許請求の範囲】
【請求項１】
扇部に設けた表示装置としての機能を有する電子ペーパーと、
前記電子ペーパーに密着する圧電素子と
を有し、前記圧電素子に加える音源信号によって、前記電子ペーパーが振動して音響機器として機能することを特徴とする団扇。
【請求項２】
電子部品を収容する持ち手と、
前記持ち手につながる扇部骨枠と、
前記扇部骨枠を覆い、表示装置としての機能を有する電子ペーパーと、
前記電子ペーパーに密着する圧電素子と
を有し、前記持ち手に収容された電子部品から前記圧電素子に加える音源信号によって、前記電子ペーパーが振動して音響機器として機能することを特徴とする団扇。
【請求項３】
近距離無線通信装置をさらに備え、
前記圧電素子に加える音源信号のデータを前記近距離無線通信装置を用いて、外部機器から受け取ることを特徴とする請求項１又は請求項２に記載の団扇。
【請求項４】
近距離無線通信装置をさらに備え、
前記電子ペーパーの表示内容のデータを前記近距離無線通信装置を用いて、前記近距離無線通信装置を用いて、外部機器から受け取ることを特徴とする請求項１又は請求項２に記載の団扇。
【請求項５】
前記電子ペーパー及び前記圧電素子を含む電子部品に必要な電源を発電するための発電用圧電素子を備え、団扇を扇ぐ力を用いて発電することを特徴とする請求項１から請求項４までのいずれか1項に記載の団扇。
【発明の詳細な説明】
【技術分野】
【０００１】
本発明は、表示装置と音響装置とを兼ね備えた団扇、とりわけ電子ペーパーと圧電スピーカを備えた団扇に関する。
【背景技術】
【０００２】
特許文献１には、圧電スピーカシステムが開示されている。音声信号をローパスフィルタ、パワーアンプを介して圧電素子に供給し、圧電素子に接しているガラス板を振動させて音を出すものである。ローパスフィルタを通すことで超高域周波数の信号レベルが低減されるので、ガラス板が割れることを未然に防ぐことができる。
【０００３】
特許文献２には、携帯端末装置が開示されている。液晶表示パネルは、文字や画像を表示するとともに、圧電素子によって、振動して音を発生するようにして、表示とスピーカを兼用させるものである。
【０００４】
特許文献３には、太陽光発電機能付き団扇が開示されている。団扇の扇部に太陽光発電装置を設け、柄の部分に蓄電池を設け、当該蓄電池からさまざまな用途の各種機器を充電する機能を設けた団扇である。
【０００５】
特許文献４には、団扇型イオン発生装置が開示されている。団扇を扇ぐときに加えられる力を電圧に変換する発電部と、その電圧を利用してイオンを発生して空気中にイオンを放出するイオン発生器とを備えたものである。
【０００６】
特許文献５には、発光団扇が開示されている。団扇本体がプリント配線基板により構成され、プリント配線基板の配線パターン上に発光ダイオードを複数配設するものである。
特許文献６には、発光素子の輝出する輝光部を骨枠に設けた発光団扇が開示されている。とする。骨と外周板とは透明プラスチックによって一体成形される。
【０００７】
非特許文献１には、大日本印刷（DNP）と積水化学工業はフィルム型の太陽電池を活用し、室内でも利用できる電子ペーパーを開発したことが開示されている。2017年4月中旬から、都内のコンビニエンスストアの店頭に電子看板として設置し、実証試験を行っている。
【０００８】
非特許文献２には、窓に貼る太陽電池が実用化へ動き出したことが開示されている。透明の有機薄膜太陽電池フィルムを使うものである。三菱化学は、有機薄膜太陽電池を用いた「シースルー発電フィルム」を開発・実用化し、市場開拓を開始する。三菱化学が今回実用化に向けて市場開拓を開始する有機薄膜太陽電池による「シースルー発電フィルム」は、新エネルギー・産業技術総合開発機構（NEDO）の助成事業「有機系太陽電池実用化先導技術開発」に採択され、これまで窓や建物外装などへの使用について実証実験を進めてきた。実証実験についてはスリーエムジャパンと共同で実施しており、これまで仙台国際センター渡り廊下の窓への設置やスリーエム仙台市科学館エントランス付近の窓などに設置し実用化への課題解決などに取り組んでいる。
【０００９】
非特許文献３には、貼れるフィルム型の太陽電池を、積水化学が印刷技術で量産へ向かうことが開示されている。積水化学工業は2017年3月、フィルム型色素増感太陽電池のロール・ツー・ロール方式での量産技術を完成させ、パイロット生産機をつくば事業所（茨城県つくば市）に導入したとするものである。
【００１０】
非特許文献４には、１μm厚さのカラー電子ペーパーが開示されている。材質は柔軟で電力消費も少ない。スウェーデン、チャルマース工科大学のAndreas Dahlinと大学院生のKunli Xiongは、導電性ポリマーとナノ構造体を組み合わせる方法を研究中にこの材料を作り出した。小さなセル ― プラズモニックメタ表面と呼ばれる ― はわずかな電圧変化によってオン／オフできる。液晶のサプピクセルと似ている。しかし、他の反射型ディスプレイ（通常の紙も）と同じく、自らは光を発しない。リフレッシュレートは1秒間に数回程度だが、解像度は液晶や既存のeペーパーをはるかに上回る可能性をもっている。
【先行技術文献】
【特許文献】
【００１１】
【特許文献１】特開２００２−３６９２９０号公報
【特許文献２】特開平１０−１６４１９３号公報
【特許文献３】特開２０１４−２１７４８９号公報
【特許文献４】特開２０１６−０７７４４６号公報
【特許文献５】特開平０７−１８６２０８号公報
【特許文献６】特開２０１７−０２５１６６号公報
【非特許文献】
【００１２】
【非特許文献１】http://www.itmedia.co.jp/smartjapan/articles/1704/21/news034.html
【非特許文献２】http://www.itmedia.co.jp/smartjapan/articles/1508/10/news045.html
【非特許文献３】http://www.itmedia.co.jp/smartjapan/articles/1704/04/news018.html
【非特許文献４】http://jp.techcrunch.com/2016/10/17/20161014flexible-e-paper-display-is-full-color-but-less-than-a-micrometer-thick/
【発明の概要】
【発明が解決しようとする課題】
【００１３】
団扇は、スポーツの応援や、アイドルのコンサートに必要なグッズとしての需要が高まっている。また、表示装置としての電子ペーパーの実用化が進んでいる。さらに、圧電スピーカ（圧電素子を用いたスピーカ）も実用的な価値の高いものが市場に出ている。
【００１４】
本発明の発明者は、団扇を電子機器として考えて、スマホの周辺機器として用いてブルートゥース（登録商標）などの近距離無線通信で接続することにより、団扇の価値を高めることができると考えた。
【００１５】
本発明の目的は、スマホやパソコンの周辺機器として用いることが可能な、表示装置と音響機器とを兼ね備えた団扇を提供することを目的とする。
【課題を解決するための手段】
【００１６】
本発明に係る団扇は、扇部に設けた表示装置としての機能を有する電子ペーパーと、前記電子ペーパーに密着する圧電素子とを有し、前記圧電素子に加える音源信号によって、前記電子ペーパーが振動して音響機器として機能することを特徴とする。これにより、表示装置と音響装置とを兼用し、省スペースで携帯に便利な機器を提供することができる。
【００１７】
また、電子部品を収容する持ち手と、前記持ち手につながる扇部骨枠と、前記扇部骨枠を覆い、表示装置としての機能を有する電子ペーパーと、前記電子ペーパーに密着する圧電素子とを有し、前記持ち手に収容された電子部品から前記圧電素子に加える音源信号によって、前記電子ペーパーが振動して音響機器として機能することを特徴とする。これにより、表示装置と音響装置とを備えた電子機器を提供可能である。
【００１８】
また、近距離無線通信装置をさらに備え、前記圧電素子に加える音源信号のデータを前記近距離無線通信装置を用いて、外部機器から受け取ることを特徴とする。これにより、パソコンやスマートフォンの出力機器としての音響機器となり得る機器を提供可能である。
【００１９】
また、近距離無線通信装置をさらに備え、前記電子ペーパーの表示内容のデータを前記近距離無線通信装置を用いて、前記近距離無線通信装置を用いて、外部機器から受け取ることを特徴とする。これにより、パソコンやスマートフォンの出力機器としての表示装置となり得る機器を提供可能である。
【００２０】
さらに、前記電子ペーパー及び前記圧電素子を含む電子部品に必要な電源を発電するための発電用圧電素子を備え、団扇を扇ぐ力を用いて発電することを特徴とする。これにより、さまざまな回路（団扇の内部の回路のみならず、外部機器のそれを含む）の充電が可能である。
【００２１】
前記近距離無線通信装置は、例えばＢｌｕｅｔｏｏｔｈ(登録商標）ブルートゥース（登録商標）又はＷｉ−Ｆｉ(登録商標）ワイファイ（登録商標）を用いることができる。音響信号をデジタルでやりとりするのに、ブルートゥース（登録商標）を用いることが一般になされている。表示装置の表示内容については、動画などの書換頻度が多く、データ量が多いものを扱うので、ワイファイ（登録商標）が用いられることが多い。電子ペーパーの表示内容は、1秒間に数回の書換頻度であることから、ブルートゥース（登録商標）でまかなえる可能性がある。
【００２２】
この団扇には、発電機能を持たせることができる。そして、その手段は、二通り考えられる。第一に、電子ペーパーとして、光による発電が可能なものを用いることである。第二に、発電用の圧電素子を用いて、団扇を扇ぐ力を電力に変換することである。この団扇には、音響装置のための圧電素子を既に持っているので、音響装置の圧電素子と発電用の圧電素子とを兼用し、スイッチを設けるなどして、切替えて用いることも可能である。
【００２３】
音響装置の圧電素子と発電用の圧電素子とを別々に設ける場合には、団扇を扇いで発電しながら、圧電スピーカーを使用することが可能である。1個の圧電素子を切替えて用いる場合には、発電と、音声の再生とのどちらかの機能を選んで用いる。
【００２４】
この団扇は、ノートパソコン、タブレットコンピュータ、スマートフォンなどの周辺機器として用いることができる。前述した近距離無線通信装置を介して、パソコンなどの周辺機器とする構成である。
【００２５】
それのみならず、この団扇にラジオ受信機を設けて、災害用ラジオとして機能させることも可能である。電池を設けなくても、団扇を扇ぐことで発電し、充電する。その電力によりラジオを受信し、その音を圧電スピーカで再生する。さらに、ＦＭの文字放送を受信して、文字放送の内容を電子ペーパーに表示することも可能である。ＦＭ文字放送は、公共の放送としては、すでに廃止されている。しかし、被災地において、ローカルなＦＭ放送局を設ける場合には、文字放送を実施することができる可能性がある。
【００２６】
さらに、ラジオ機能を設けた団扇を、コンサートグッズや、観劇グッズとして用いることができる。大きなコンサート会場や、能、歌舞伎などの日本の伝統芸能の演芸場などでは、観客に文字情報の提供をすることが望まれる場合がある。この場合、たとえば局所的なＦＭ放送局による文字放送をして、団扇に設けたラジオにより受信して、団扇の電子ペーパーに表示するという利用の仕方が考えられる。この場合、文字放送を行う電波は、ＦＭ波に限定されない。その会場に適した電波で放送又は通信により観客の持つ団扇に表示される。
能、歌舞伎などの劇場では、外国人向けの解説のために、タブレットコンピュータを持たせる例もある。タブレットコンピュータに比べると、この団扇は、安価に製造可能となる可能性がある。
【００２７】
スマートフォンの充電器としての利用も可能である。この団扇には、前述したように二通りの発電方法を持たせることが可能である。電子ペーパーに太陽光発電機能を持たせることと、発電用の圧電素子により扇ぐ力を電力に変換することである。これらにより生じた電力を用いて、スマートフォンの充電に用いることが可能である。たとえば、スマートフォンの電池の残りが少なくて通話中に通話が切れてしまいそうなときに、団扇とスマートフォントをコードでつないで、団扇を扇ぎながら通話を続けるという利用が考えられる。
【００２８】
その際、圧電スピーカのための圧電素子と、発電用の圧電素子とを別々に設けている場合には、団扇を扇ぎながら通話し、かつ団扇を通話相手の声を聞くためのスピーカとして用いることが可能である。
【００２９】
また、本発明の団扇をスマートフォンの周辺機器として用いる場合に、団扇に設けた電子ペーパーは、スマートフォンでいくつかの画面を切替えて表示したい場合に、そのうちの一つの画面を電子ペーパーに表示させておき、スマートフォン側の表示画面には、他の画面を表示して、電子ペーパー上に表示されている画面と見比べながら利用することが考えられる。それを実現するためには、スマートフォンのアプリとして、電子ペーパーの表示とスマートフォンの表示とを連携させるソフトウェアを設けることが望ましい。例えば、スマートフォンの画面の一部を電子ペーパーに拡大して表示すること、また、スマートフォンで複数のアプリを同時に使う場合に、複数のアプリの画面のうちの一つを電子ペーパーに表示するなどの機能をそのアプリによって実現することが考えられる。
【発明の効果】
【００３０】
本発明に係る団扇は、上述のように構成されているので、パソコンもしくはスマートフォンの周辺機器として、音声放送もしくは文字放送の受信機として使用可能な電子機器の機能を有する団扇を提供できる。
【図面の簡単な説明】
【００３１】
【図１】本発明に係る表示装置と音響装置とを兼ね備えた団扇を正面から見た図である。図１(ａ)は、表示がなされる側から見た図であり、図１(ｂ)は、裏側から見た図である。
【図２】本発明に係る表示装置と音響装置とを兼ね備えた団扇の組み立てを説明する斜視図である。
【図３】スマホの周辺機器としての使用の場合を示すブロック図である。
【図４】テレビの周辺機器としての使用の場合を示すブロック図である。
【図５】災害ラジオとして使用する場合を示すブロック図である。
【発明を実施するための形態】
【００３２】
以下、図面を参照しつつ本発明の実施形態について説明する。図中の符号が同一のものは、同様の構成、機能を有する。
【００３３】
≪団扇の外観≫
図１は、本発明に係る表示装置と音響装置とを兼ね備えた団扇を正面から見た図である。図１(ａ)は、電子ペーパー２０に表示がなされる側から見た図であり、図１(ｂ)は、裏側から見た図である。団扇の持ち手１１は、団扇の扇部骨枠１２と一体的に成形されまたは、それぞれが成形されたものを接合して一体となる。持ち手１１と扇部骨枠１２とが一体となる強度は、団扇の使用者が持ち手１１を手に持って団扇１０を扇いで風を起こすときに、電子ペーパー２０を動かして風を起こすことができる程度の強度である。
【００３４】
団扇の扇部骨枠１２は、例えば、透明プラスチックにより構成され、電子ペーパー２０の表示部２１に画像が表示されるのを使用者が視認するのを妨げないように考慮される。電子ペーパー２０は、団扇の扇部骨枠１２をカバーする大きさ及び形状にカッティングされる。電子ペーパー２０は、カッティングした形状のほぼ全面を表示部として使用可能である。そして、電子ペーパー２０の中央部の裏側に圧電素子３０が設けられる。圧電素子３０は、ピエゾ素子とも呼ばれるものであって、１０センチメートル×１４センチメートルの長方形の形状のもので、厚さが２００μｍ（マイクロメートル）のものを密着させて固定する。この大きさの圧電素子が市場にて入手可能である。さらに、電子ペーパー２０の裏側は、団扇の扇部骨枠１２に透明接着剤を用いて接着される。図１(ｂ)には、団扇の扇部骨枠１２がむき出しになっている状態を描いている。
裏側にさらに別のフィルムを接着することにより、電子ペーパー２０及び圧電素子３０を保護するようにしてもよい。その場合、裏側に貼るフィルムは、電子ペーパー２０の表示部分２１の視認効果を高める色及び材質を選択する。裏側に貼るフィルムをも、もう一つの電子ペーパーとすることにより、団扇の表裏の両面に画像を表示させることも可能である。
【００３５】
≪団扇の組み立て説明図≫
図２は、本発明に係る表示装置と音響装置とを兼ね備えた団扇１０の組み立てを説明する斜視図である。扇部の骨枠１２は、持ち手１１側を根元として多数の骨（ここでは１１本）が延びているものを示している。骨の先が開いている形状のものを図示しているが、１１本の骨の先をつなげて、枠のあるものとしてもかまわない。前述したように、電子ペーパー２０の中央部裏側に圧電素子３０が密着固定された状態で、扇部の骨枠１２が接着される。その際に、圧電素子３０の配線、表示部２１の配線が持ち手１１の内部に設けられた電子回路に接続されるように考慮される（配線については図示を省略した）。
【００３６】
≪スマホの周辺機器として団扇を使用する≫
図３は、団扇１０と、スマホ（スマートフォン）とをつなげて、団扇１０をスマホの周辺機器として用いる際のブロック図である。団扇側には近距離無線通信回路５０、スマホ側には近距離無線通信回路５１が設けられ、データのやりとりがなされる。近距離無線通信は、ブルートゥース（登録商標）又はワイファイ（登録商標）が考えられる。他の無線通信の方式を用いてもかまわない。
スマホ側には、団扇の電子ペーパーに表示内容を表示させるための表示制御アプリ２６と、団扇の圧電スピーカに音声を再生させるためのスピーカ制御アプリとが設けられ、団扇１０に表示させる表示データの送信、そして、団扇１０に再生される音声データの送信をつかさどる。
【００３７】
使用者が、スマホの表示画面の一部を電子ペーパー２０に表示させたいときには、スマホと団扇との近距離無線通信を確立させる（ブルートゥースで言えば、ペアリング、ワイファイで言えば、コネクション確立をする）。そして、表示制御アプリ２６を用いて、電子ペーパーに表示させたい表示内容のデータを団扇側に送信する。団扇側では、近距離無線通信回路５０が当該表示データを受け取って電子ペーパー駆動回路２５に渡して、電子ペーパー駆動回路２５は、電子ペーパー２０に当該表示内容を表示させる。団扇を使用する使用者は、たとえば、スポーツ観戦時、コンサート参加時などにある程度の時間の長さ、ずっと表示しておきたい内容（例えば、応援ソングの楽譜、歌詞、振り付けの解説図など）を団扇１０の電子ペーパー２０の表示部分２１に表示しておくという使い方が考えられる。
【００３８】
使用者が、スマホの音声を団扇１０で聴きたいときには、いきなり無線通信の確立をして、音声データを団扇側にとばしてもよいが、本発明の発明者は、いまひとつ、有用な提案をする。スマホ（携帯電話）の裏蓋に、圧電スピーカを設けることである。この裏蓋圧電スピーカ３７は、スマホ（携帯電話）の筐体の一部を構成する裏蓋の内側に圧電素子３０と類似の圧電素子（大きさはスマホの裏蓋に貼るのに適した大きさのもの）を固定して、裏蓋を振動させてスピーカーとするものである。使用者は、裏蓋の振動により発生する音声を聴くか、裏蓋の振動を外耳道開口部周辺につけて骨伝導させることにより、音声を聴くことが可能となる。これにより、いきなり団扇側に音声を飛ばす場合に、間違った音声データを送ってしまって、周囲の人々に迷惑をかけてしまうなどのトラブルを防止できる。
【００３９】
具体的には、使用者がスマホの音声を聴き取りにくい、やかましい環境にいるときに、スピーカ制御アプリ３６を用いて、通常のスマホのスピーカではなくて、裏蓋圧電スピーカ３７に音声出力先を切替えて、聴いてみる。そして、この内容を確認した上で、その音声を団扇で聴きたい場合に、団扇１０との近距離通信の接続を確立し、近距離無線通信回路５１により音声データを団扇側に送る。団扇側では近距離無線通信回路５０が音声データを受け取り、圧電スピーカー駆動回路３５に送る。圧電素子スピーカー駆動回路３５は、圧電素子３０に信号を送る。圧電素子３０は、電子ペーパー２０を振動させて音声を出力する。この手順により、騒々しい環境にあっても、拡大すべき音声データを間違えることなく、団扇１０の圧電スピーカーに出力することが可能となる。
【００４０】
団扇１０は、発電機能を持たせることができる。発電の仕方は二通り考えられる。第一に、電子ペーパー２０が、表示機能のみならず、発電機能（太陽光発電の機能）を併せ持つものを用いるやり方である。団扇１０が光にあたると、その光により、発電がなされて、充電制御回路４５の働きにより充電が制御されて、充電池４０に電力が蓄えられる。蓄えられた電力は、電子ペーパー及び電子ペーパー駆動回路の電源となり、電子ペーパー２０の表示部分２１に表示された表示内容を維持すること、その表示内容を書き換えることなどに用いられる。それのみならず、圧電スピーカー駆動回路３５などの回路に必要な電源を供給することも可能である。
【００４１】
第二の発電の仕方は、団扇を扇ぐ力を、圧電素子によって電圧（電力）に変換することである。圧電素子に振動を加えると、電圧が生じて、それにより発光ダイオードを光らせることが可能であることが知られている。このことを用いれば、団扇を扇ぐ力によって発電するための圧電素子を設けて、それによる発電をすること、そして、それを発電した電力により充電池４０を充電することが可能となる。発電のための圧電素子と圧電スピーカーの圧電素子３０とを別々に設けてもよいし、兼用させることも可能である。兼用させる場合には、充電と音の再生とを切替えるための切換スイッチを設けることもできる。
【００４２】
このようにして得た電力を団扇１０内の電子回路に必要な電源として用いるのみならず、外部機器（たとえばスマホ）を充電する充電器として用いることも考えられる。充電制御回路４５が、外部機器の充電に十分な電力があると判断すると、図示をしていないが、ＬＥＤの点灯により、そのことを使用者に知らせる。使用者は、それを見て、スマホを充電したいと考えると、充電ケーブルをつないで、スマホの充電をする。必要があれば、団扇１０を扇いでさらに充電をする。
なお、ＬＥＤ点灯により電池の残量を表示する以外に、電子ペーパー２０に電池残量を表示させてもよい。
【００４３】
≪パソコンの周辺機器として団扇を使用する≫
団扇１０をパソコンの周辺機器として用いる場合には、図３とほぼ同様の構成で、スマホ側の構成をパソコン側の構成と読み替えることで、同様の使い方が可能である。ノートパソコンでは、画面が小さいことが多いため、団扇１０の電子ペーパー２０の表示部分２１が、補助画面として役立つ。ノートパソコンの表示装置の近くに団扇１０を固定するための把持具を置くことで、団扇を固定し、表示部分２１を使用者の見やすい方に向ける。近距離無線通信の確立をした上で、表示制御アプリ２６により、団扇側に表示させたい表示内容を使用者が団扇側に送る。そして、近距離無線通信回路５１,５０、電子ペーパー駆動回路２５、電子ペーパー２０の働きにより、パソコンの画面を補助する表示内容が団扇に表示される。パソコン使用者は、二画面を同時に見ながら作業が出来る。
【００４４】
パソコン使用者が、例えばノートパソコンの内蔵スピーカの音では、音量が足りないという場合に、団扇１０に音声データを送って、団扇の圧電スピーカーから音声出力させることも可能である。
【００４５】
≪テレビの周辺機器として団扇を使用する≫
テレビが近距離無線通信機能を有する場合に、テレビの音を団扇１０に再生させることが可能となる。また、テレビ番組表や、番組の解説記事などのテキストデータを団扇の電子ペーパー２０の表示部分２１に表示させて、それを見ながらテレビを見ることも可能となる。
図４は、団扇をテレビの周辺機器として用いる場合の構成例を示すブロック図である。テレビ側と団扇側とは、近距離無線通信回路５０，５１により通信が確立可能なものとする。テレビを見る人は、テレビのリモートコントロール装置６０と団扇１０とを手に持ってテレビをある程度はなれたところから見る。テレビから大きな音を出すことが迷惑な事情が生じた際に、音の出力先を団扇に変えることが可能である。その場合、使用者は、リモートコントロール装置６０を用いて、テレビと団扇との間で無線通信を確立させて、リモートコントロール装置制御回路６１を介して、スピーカ制御３６を実行し、団扇側に音声データを出力させる。団扇１０では、圧電スピーカー駆動回路３５を介して、圧電素子３０に信号を送り、電子ペーパー２０を振動させて音を再生する。
また、テレビの番組表や、番組解説記事、映画の登場人物の人物相関図などを団扇に表示させたい場合には、使用者は、リモートコントロール装置６０を操作して、テレビのリモートコントロール装置制御回路６１、表示制御２６を介して、当該表示内容を近距離無線通信回路５１、５０を介して電子ペーパー駆動回路２５に送り、電子ペーパー２０の表示部分２１に表示させる。
このようにして、テレビを見る人は、リモートコントロール装置６０とともに団扇をもつことでテレビの使い勝手が高まる。特に、老人など、大きい音でテレビを楽しみたい場合に有益である。
【００４６】
≪災害用ラジオとして団扇を使用する≫
災害用ラジオには、二通りがあると考えられる。各家庭において、常日頃から非常時に持ち出すリュックサックに備えておくもの、そして、大きな災害が起こった場合に、学校の体育館などに避難して避難生活を集団でしなければならない人たちに地方自治体が配布するものの二通りである。本発明にかかる団扇は、比較的安価に製作することが可能であり、電源を自ら発電できる災害用ラジオとして、使い勝手のよいものを提供できる可能性がある。被災地においては、ローカル放送局をＦＭ放送局として設置することが考えられる。その場合、かつて２００４年までには実施されていたＦＭ文字放送の技術を用いれば、ラジオ放送の電波に文字情報を載せることが可能であるので、団扇１０の電子ペーパー２０の表示部分２１に文字情報を表示し、圧電スピーカーでラジオ放送の音を出力することが可能となる。さらに、電池の充電が不十分の時には、扇いで充電することも可能となる。
【００４７】
図５は、団扇１０を災害用ラジオとして用いる場合のブロック図である。図３，４に示した団扇に設ける通信装置を、ラジオ放送受信機７０に置き換えたものである。ラジオ放送局側には、ラジオ放送送信機７１と、文字放送装置７５と音声放送装置７６が設けられる。ラジオ放送局から放送される電波に載った文字情報、団扇のラジオ放送受信機７０に受信されて、電子ペーパー駆動回路２５を介して、電子ペーパー２０に送られ、文字情報の表示がなされ、また音声情報は、ラジオ放送受信機７０に受信されて圧電スピーカー駆動回路３５を介して圧電素子３０に渡されて、電子ペーパー２０を振動させることにより、音声出力がなされる。
さらに、この団扇は、電子ペーパー２０の光充電機能により充電され、扇ぐ力を電力に変えることによる充電もなされる。この電力は、スマホの充電などに役立てることも可能である。
【００４８】
≪劇場内の解説グッズとして団扇を使用する≫
図５に類似した放送を能楽堂、歌舞伎の劇場などの劇場内で行うことも可能である。その場合、外国人に対しては、その国の言語で解説をするなどの利用方法が考えられる。
【符号の説明】
【００４９】
１０  団扇（うちわ）
１１  持ち手
１２  扇部骨枠
２０  電子ペーパー
２１  表示部分
２５  電子ペーパー駆動回路
２６  表示制御アプリ
３０  圧電素子
３５  圧電スピーカー駆動回路
３６  スピーカ制御アプリ
３７  裏蓋圧電スピーカ
４０  充電池
４５  充電制御回路
５０，５１近距離無線通信回路
６０  リモートコントロール装置
６１  リモートコントロール装置制御回路
【図１】
2019025043.tif 000003
【図２】
2019025043.tif 000004
【図３】
2019025043.tif 000005
【図４】
2019025043.tif 000006
【図５】
2019025043.tif 000007